(57)【要約】【課題】光ピックアップを光ディスクの再生位置に配置したまま対物レンズと光ディスクとの接触を防止することができる光ディスク再生装置を提供する。【解決手段】サーボ制御信号処理部が、対物レンズ４Ａを光ディスク１５と接離する方向に移動して、光ディスク１５と対物レンズ４Ａとの間を一定距離に保つフォーカス調整処理を行う。μＣＯＭが、フォーカス調整処理の停止直前に光ピックアップ４が対物レンズ４Ａと光ディスク１５との接触の可能性が高い位置Ｂにあるとき、光ピックアップ４が対物レンズ４Ａと光ディスク１５との接触の可能性が低い位置Ａに光ピックアップ４を移動させた後に、フォーカス調整処理を終了させる。【選択図】図７
2008243330.tif 000002
【特許請求の範囲】
【請求項１】
光源及び前記光源からの光を光ディスクに焦点を合わせて照射するための対物レンズを設けて前記光ディスクの情報を再生する光ピックアップと、前記対物レンズを前記光ディスクに接離する方向に移動させる第１駆動手段と、前記光ピックアップを前記光ディスクの径方向に移動させる第２駆動手段と、前記光ディスクからの反射光によって前記光ディスクと前記対物レンズとの間が一定距離になるように前記第１駆動手段を制御する第１駆動制御手段と、を備えた光ディスク再生装置において、
前記第１駆動制御手段による制御が停止されるときに前記第２駆動手段を制御して前記光ピックアップを内周側に向けて移動させる第２駆動制御手段が、設けられていることを特徴とする光ディスク再生装置。
【請求項２】
前記光ピックアップによる情報の再生中に前記対物レンズの前記接離方向の位置を検出する第１位置検出手段と、
前記第１位置検出手段により検出された前記対物レンズの接離方向の位置が、前記第１駆動制御手段の制御停止時における前記対物レンズの待機位置である中立位置よりも前記光ディスクから離れた側に設定された所定位置に対して前記光ディスク側であれば、当該接離方向の位置検出が行われたときの前記光ピックアップの径方向の位置を、接触の可能性が低い位置として、検出する第２位置検出手段と、
を備え、そして、
前記第２駆動制御手段が、前記第１駆動制御手段による制御が停止されるときに前記第２駆動手段を制御して前記第２位置検出手段が検出した前記接触の可能性が低い位置に前記光ピックアップを移動させるように設けられていることを特徴とする請求項１に記載の光ディスク再生装置。
【請求項３】
前記第２位置検出手段が、前記検出した前記接触の可能性が低い位置のうち最新の位置を検出するように設けられ、そして、
前記第２駆動制御手段が、前記第１駆動制御手段による制御が停止されるときに前記第２駆動手段を制御して前記第２位置検出手段により検出された前記接触の可能性が低い位置のうち最新の位置に前記光ピックアップを移動させるように設けられていることを特徴とする請求項２に記載の光ディスク再生装置。
【請求項４】
前記第２位置検出手段が、前記第１位置検出手段によって検出される毎に検出された対物レンズの前記接離方向の位置が前記所定位置に対して前記光ディスク側であるか否かを判断し、前記所定位置に対して前記光ディスク側であると判断される毎に当該接離方向の位置検出が行われたときの前記光ピックアップの径方向の位置に前記最新の接触の可能性が低い位置を更新するように設けられていることを特徴とする請求項３に記載の光ディスク再生装置。
【請求項５】
前記第２駆動制御手段が、前記第１駆動制御手段による制御が停止されるとき前記光ピックアップの位置が前記光ピックアップの再生位置上の予め定めた接触の可能性が低い位置よりも外周側にあれば前記第２駆動手段を制御して前記予め定めた接触の可能性が低い位置に移動させるように設定されていることを特徴とする請求項１に記載の光ディスク再生装置。
【発明の詳細な説明】
【技術分野】
【０００１】
本発明は、光ディスク再生装置に関するものである。
【背景技術】
【０００２】
上述した光ディスク再生装置に使用される光学ピックアップの対物レンズは、電気制御によって光ディスクの再生中に該光ディスクとの距離が一定に保たれている。車載用などの光ディスク再生装置の場合、光ディスクを再生している状態から、例えばラジオ、ＴＶ等の他ソースに切り替えられると、光学ピックアップの対物レンズは通電しない状態となる。
【０００３】
このような非通電状態では、上述した対物レンズと光ディスクとの間を一定距離に保つ制御がなされずに対物レンズは、機構的な設計によって定められた待機位置（以下、中立位置と称す）に保たれる。このため、対物レンズと光ディスク再生装置内にクランプされた光ディスクは、自動車の走行時などに生ずる振動などの外乱により、上下に動く状態となり、対物レンズ及び光ディスクの両者の相対位置が近くなり、ディスクとレンズが接触する、という問題があった。
【０００４】
特に、最近のＢｌｕ−ｒａｙ（ＢＤ）もしくは、ＢＤ／ＤＶＤ／ＣＤコンパチブルの再生装置においては、再生中の対物レンズと光ディスクとの距離（ワーキングディスタンス）が近い。このため、対物レンズの中立位置を光ディスクと接近させる設計となり、上記接触の危険性が増している。
【０００５】
そこで、上述した問題を解決するために例えば他ソース切替や電源オフ時に光ピックアップを光ディスク外に移動させて振動などの外乱に起因する対物レンズと光ディスクとの接触を防止するものが提案されている。しかしながら、この場合、光ピックアップを光ディスク外まで移動させる駆動機構が必要となり、装置自体が大型化してしまう。また、他ソース切替や電源オフ時に光ピックアップと光ディスクとの距離を離して振動などの外乱に起因する対物レンズと光ディスクとの接触を防止するものが提案されている（例えば特許文献１、２）。この場合も、光ピックアップと光ディスクとの距離を離す機構が必要となり、装置自体が大型化してしまう、という問題があった。
【特許文献１】特開２００４−１５８１０１号公報
【特許文献２】特開２００４−１５８１３３号公報
【発明の開示】
【発明が解決しようとする課題】
【０００６】
本発明は、かかる問題を解決することを目的としている。即ち、本発明は、例えば、光ピックアップを光ディスクの再生位置に配置したまま対物レンズと光ディスクとの接触を防止することができる光ディスク再生装置を提供することを目的としている。
【課題を解決するための手段】
【０００７】
請求項１記載の発明は、光源及び前記光源からの光を光ディスクに焦点を合わせて照射するための対物レンズを設けて前記光ディスクの情報を再生する光ピックアップと、前記対物レンズを前記光ディスクに接離する方向に移動させる第１駆動手段と、前記光ピックアップを前記光ディスクの径方向に移動させる第２駆動手段と、前記光ディスクからの反射光によって前記光ディスクと前記対物レンズとの間が一定距離になるように前記第１駆動手段を制御する第１駆動制御手段と、を備えた光ディスク再生装置において、前記第１駆動制御手段による制御が停止されるときに前記第２駆動手段を制御して前記光ピックアップを内周側に向けて移動させる第２駆動制御手段が、設けられていることを特徴とする光ディスク再生装置に存する。
【発明を実施するための最良の形態】
【０００８】
以下、本発明の一実施の形態に係る光ディスク再生装置を説明する。本発明の一実施の形態にかかる光ディスク再生装置は、光源及び光源からの光を光ディスクに焦点を合わせて照射するための対物レンズを設けて光ディスクの情報を再生する光ピックアップと、対物レンズを光ディスクに接離する方向に移動させる第１駆動手段と、光ピックアップを光ディスクの径方向に移動させる第２駆動手段と、光ディスクからの反射光によって光ディスクと対物レンズとの間が一定距離になるように第１駆動手段を制御する第１駆動制御手段と、を備えた光ディスク再生装置において、第１駆動制御手段による制御が停止されるときに第２駆動手段を制御して光ピックアップを内周側に向けて移動させる第２駆動制御手段が、設けられている。
【０００９】
これにより、光ピックアップを光ディスクの外乱による面ブレが少なく、接触の可能性の低い内周側に向けて移動させることができるため、光ピックアップを光ディスクの再生位置に配置したまま光ディスクと対物レンズとの衝突を防ぐことができる。
【００１０】
また、光ディスク再生装置は、光ピックアップによる情報の再生中に対物レンズの接離方向の位置を検出する第１位置検出手段と、第１位置検出手段により検出された対物レンズの接離方向の位置が、第１駆動制御手段の制御停止時における対物レンズの待機位置である中立位置よりも光ディスクから離れた側に設定された所定位置に対して光ディスク側であれば、当該接離方向の位置検出が行われたときの光ピックアップの径方向の位置を、接触の可能性が低い位置として、検出する第２位置検出手段と、を備え、そして、第２駆動制御手段が、第１駆動制御手段による制御が停止されるときに第２駆動手段を制御して第２位置検出手段が検出した接触の可能性が低い位置に光ピックアップを移動させるように設けられていてもよい。
【００１１】
このように、情報の再生中に検出した対物レンズの接離方向に位置に基づいて接触の可能性が低い位置を検出し、検出した接触の可能性が低い位置に光ピックアップを移動させることにより、より確実に光ディスクと対物レンズとの衝突を防ぐことができる。
【００１２】
また、光ディスク再生装置は、第２位置検出手段が、検出した接触の可能性が低い位置のうち最新の位置を検出するように設けられ、そして、第２駆動制御手段が、第１駆動制御手段による制御が停止されるときに第２駆動手段を制御して第２位置検出手段により検出された接触の可能性が低い位置のうち最新の位置に光ピックアップを移動させるように設けられていてもよい。
【００１３】
このように、最新に検出した接触の可能性の低い位置に光ピックアップを移動させることにより、第１駆動制御手段による制御停止直前の光ピックアップの位置からの移動距離を少なくすることができ、制御再開時に迅速に制御停止直前の光ピックアップの位置に戻ることができる。
【００１４】
また、光ディスク再生装置は、第２位置検出手段が、第１位置検出手段によって検出される毎に検出された対物レンズの接離方向の位置が所定位置に対して光ディスク側であるか否かを判断し、所定位置に対して光ディスク側であると判断される毎に当該接離方向の位置検出が行われたときの光ピックアップの径方向の位置に最新の接触の可能性が低い位置を更新するように設けられていてもよい。これにより、簡単に最新の接触の可能性が低い位置を検出することができる。
【００１５】
また、光ディスク再生装置は、第２駆動制御手段が、第１駆動制御手段による制御が停止されるとき光ピックアップの位置が光ピックアップの再生位置上の予め定めた接触の可能性が低い位置よりも外周側にあれば第２駆動手段を制御して予め定めた接触の可能性が低い位置に移動させるように設定されていてもよい。このように予め定めた接触の可能性が低い位置に光ピックアップを移動することにより、簡単にかつ確実に光ディスクと対物レンズとの衝突を防ぐことができる。
【実施例】
【００１６】
次に、上述した光ディスク再生装置の実施例を以下説明する。なお、図１は本発明の光ディスク再生装置の一実施の形態を示す概要構成図である。図２は、図１に示す光ディスク再生装置の電気構成図である。
【００１７】
光ディスク再生装置１は、ＤＶＤ（Digital Versatile Disc）、ＣＤ(Compact Disc)、ＢＤ(Blu-ray Disc)等の光ディスクが再生可能な装置であり、図１に示すように、ディスクモータ２と、シャーシ３と、光ピックアップ４と、一対のガイドレール５Ａ、５Ｂとを備えている。
【００１８】
ディスクモータ２は、光ディスク再生装置１にセットされた光ディスク１５を回転させるためのモータであり、スピンドルモータなどで構成されている。
【００１９】
シャーシ３は、薄板状の金属から構成され、上記ディスクモータ２、光ピックアップ４、一対のガイドレール５Ａ、５Ｂが搭載されている。
【００２０】
光ピックアップ４は、光ディスク１５に照射する光としてのレーザ光を発生させる図示しない光源としてのレーザダイオードや、レーザダイオードからのレーザ光を光ディスク１５上に焦点を合わせて照射するための対物レンズ、フォーカスを合わせるために対物レンズを光ディスク１５に接離する方向に移動させる第１駆動手段としてのフォーカシングアクチュエータ、トラッキングを合わせるために対物レンズを光ディスク１５の径方向に移動させるトラッキングアクチュエータ、及び、光ディスク１５から反射された反射光を受ける受光器とを備え、受光器の出力から光ディスク１５に記録されている映像や音楽などを含む信号やフォーカスエラー信号、トラッキングエラー信号など各種制御信号を生成して出力する。
【００２１】
一対のガイドレール５Ａ、５Ｂは、光ディスク１５の径方向に沿ってシャーシ３上に搭載されている。一対のガイドレール５Ａ、５Ｂは、上記光ピックアップ４をガイドレール５Ａ、５Ｂに沿って移動可能に支持している。そして、光ピックアップ４は、第２駆動手段としての図示しないキャリッジモータを駆動すると一対のガイドレール５Ａ、５Ｂに案内されて光ディスク１５の径方向に移動する。
【００２２】
光ディスク再生装置１は、さらに図２に示すように、ＲＦアンプ６と、サーボ信号処理部７と、ドライバ８と、音声／映像信号処理部９と、ＤＡコンバータ１０と、音声信号／映像信号出力端子１１と、ローパスフィルタ（ＬＰＦ）１２と、アンプ１３と、マイクロコンピュータ１４（以下μＣＯＭ）と、を備えている。
【００２３】
ＲＦアンプ６は、光ピックアップ４から入力される信号を所定の値に増幅し、サーボ信号処理部７へ出力する。
【００２４】
サーボ信号処理部７は、ＣＰＵ(Central Processing Unit)と、ＲＡＭ(Randam Access Memory)と、ＲＯＭ(Read Only Memory)とを内蔵している。また、サーボ信号処理部７は、ＲＦアンプ６から入力されるフォーカスエラー信号を基に対物レンズを接離方向に移動させるためのフォーカスドライブ電圧を上記光ピックアップ４のフォーカシングアクチュエータに出力するフォーカス制御を行ったり、トラッキングエラー信号を基に対物レンズを径方向に移動させるためのトラッキングドライブ電圧を光ピックアップ４のトラッキングアクチュエータに出力するトラッキング制御を行ったり、光ピックアップ４を径方向に移動させるためのキャリッジドライブ電圧をキャリッジモータに出力するキャリッジ制御を行う。また、サーボ信号処理部７は、面ブレ量に応じた対物レンズの移動速度の設定などを行い、光ディスク１５に記録された情報を正確に読めるようにする。さらに、光ディスク１５に記録された映像や音楽などを含む信号をアナログ／デジタル変換して音声／映像信号処理部９へ出力する。
【００２５】
ドライバ８は、サーボ信号処理部７から入力された信号を増幅し、ディスクモータ２および光ピックアップ４へ出力する。
【００２６】
音声／映像信号処理部９は、サーボ信号処理部７から入力された信号を音声または映像信号に復調しエラー訂正などを行った後ＤＡコンバータ１０へ出力する。
【００２７】
ＤＡコンバータ１０は、音声／映像信号処理部９から入力されたデジタル信号をアナログ信号に変換し音声出力端子１１Ａおよび映像出力端子１１Ｂから出力する。
【００２８】
ＬＰＦ１２は、サーボ信号処理部７から入力されたフォーカスドライブ電圧の高周波ノイズを除去してアンプ１３に出力する。
【００２９】
アンプ１３は、ＬＰＦ１２から入力されたフォーカスドライブ電圧を増幅し、マイクロコンピュータ（以下、μＣＯＭと称す）１４に出力する。
【００３０】
μＣＯＭ１４は、ＣＰＵと、ＲＡＭと、ＲＯＭとを内蔵し、光ディスク１５の挿入や排出、再生や停止などの各操作における光ディスク再生装置１全体の制御を行う。
【００３１】
次に、上述した構成の光ディスク再生装置の動作を、図３〜図７を参照して説明する。電源オフ時や他ソースに切り替えられていて、後述するフォーカス調整処理が行われていない間、光ピックアップ４の対物レンズ４Ａは、図３（Ａ）に示すように、その接離方向の位置が予め定めた中立位置に保持される。次に、光ディスク再生装置１に対する光ディスク１５の充填や、再生操作が行われると、μＣＯＭ１４は、サーボ信号処理部７、音声／映像信号処理部９、ＤＡコンバータ１０を制御して光ディスク１５の再生を行わせる。
【００３２】
サーボ信号処理部７は、μＣＯＭ１４からの制御に応じて再生処理を開始する。この再生処理においてサーボ信号処理部７は、図３（Ｂ）に示すように、第１駆動制御手段として働き、ＲＦアンプ６から出力されたフォーカスエラー信号に基づいて光ピックアップ４からのレーザ光Ｂが光ディスク１５上で合焦するように、対物レンズ４Ａを光ディスク１５に接離する方向に移動するフォーカスドライブ電圧をフォーカシングアクチュエータに出力してフォーカス調整処理を行う。
【００３３】
このフォーカス調整処理により、光ディスク１５と対物レンズ４Ａとの間が一定距離になるように、対物レンズ４Ａの接離方向の位置が制御される。よって、例えば図３（Ｃ）に示すように、面ブレにより光ディスク１５が対物レンズ４Ａに近づくと、対物レンズ４Ａは光ディスク１５から離れる方向に移動されて、振動などの外乱や光ディスク１５の反りによる面ブレに追従する。
【００３４】
一般的に光ディスク１５は、図４に示すように、外周側に向かうほど振動などの外乱や反りによる面ブレの影響が大きく、内周側に向かうほど振動などの外乱や反りによる面ブレの影響が小さい。よって、図４に示すように、フォーカスドライブ電圧は、光ピックアップ４が外周側にあるほど振幅が大きくなり、光ピックアップ４が内周側にあるほど振幅が小さくなる。
【００３５】
また、再生処理においてサーボ信号処理部７は、ＲＦアンプ６から出力されたトラッキングエラー信号に基づいて光ピックアップ４からのレーザ光Ｂが光ディスク１５のトラックを追従できるように、対物レンズを光ディスク１５の径方向に移動するトラッキングドライブ電圧をトラッキングアクチュエータに出力し、さらに光ピックアップ４を光ディスク１５の径方向に移動するキャリッジドライブ電圧をキャリッジモータに出力して、トラッキング調整処理を行う。
【００３６】
そして、サーボ信号処理部７は、上記フォーカス、トラックが調整された光ピックアップ４を用いて光ディスク１５から音声または映像信号を読み取る。読み取られた音声または映像信号は、音声／映像信号処理部９によって復調、エラー訂正などが行われ、ＤＡコンバータ１０によってアナログ信号に変換された後、音声または映像出力端子１１から出力されて、音楽や映像が再生される。
【００３７】
上述した再生処理に並行してμＣＯＭ１４内のＣＰＵは位置検出処理を行う。この位置検出処理を図５に基づいて参照して説明する。図５は、位置検出処理におけるμＣＯＭ１４内のＣＰＵの処理手順を示すフローチャートである。まず、μＣＯＭ１４内のＣＰＵは、上述したサーボ信号処理部７が行うフォーカス調整処理の開始と同時に位置検出処理を開始する。最初にμＣＯＭ１４内のＣＰＵは、サーボ信号処理部７から出力されるフォーカスドライブ信号を読み取る（ステップＳ１）。フォーカスドライブ電圧は、対物レンズ４Ａの接離方向に位置に応じた値となる。フォーカスドライブ電圧が０のときは、対物レンズ４Ａの接離方向の位置が中立位置となる。よって、ステップＳ１の動作においてμＣＯＭ１４は、請求項中の第１位置検出手段として働き、対物レンズ４Ａの接離方向の位置を検出することができる。
【００３８】
次に、μＣＯＭ１４内のＣＰＵは、上述したフォーカスドライブ電圧が設定電圧を超えたか否かを判断する（ステップＳ２）。設定電圧は、例えば図３（Ｃ）に示すように中立位置まで面ブレした光ディスク１５に追従した対物レンズ４Ａの位置（＝所定位置）に応じたフォーカスドライブ電圧に設定されている。μＣＯＭ１４内のＣＰＵは、フォーカスドライブ電圧が設定電圧以下と判断すると（ステップＳ２でＮ）、そのときの光ピックアップ４の接離方向の位置が所定位置に対して光ディスク１５側であると判断する。即ち、μＣＯＭ１４のＣＰＵは、そのときの光ピックアップ４の再生位置が対物レンズ４Ａと光ディスク１５との接触の可能性が低い位置であると判断して、その再生位置における光ディスク１５のアドレス情報にＡＤＲ値を更新した後（ステップＳ３）、ステップＳ１に戻る。
【００３９】
一方、μＣＯＭ１４内のＣＰＵは、フォーカスドライブ電圧が設定電圧を超えていると判断すると（ステップＳ２でＹ）、そのときの光ピックアップ４の接離方向の位置が所定位置に対して光ディスク１５から離れた側にあると判断する。即ち、μＣＯＭ１４内のＣＰＵは、そのときの光ピックアップ４の再生位置が対物レンズ４Ａと光ディスク１５との接触の可能性が高い位置であると判断して、ＡＤＲ値を更新することなく、ステップＳ１に戻る。このステップＳ２、３によりμＣＯＭ１４は、請求項中の第２位置検出手段として働き、接触の可能性が低い位置を検出することができる。そして、ＡＤＲ値には、常に最新の接触の可能性が低い位置のアドレスが格納される。
【００４０】
その後、μＣＯＭ１４は、ディスクソースの切替操作や電源オフ操作が行われると、サーボオフ制御処理を開始する。このサーボオフ制御処理を図６に基づいて説明する。図６は、サーボオフ制御処理におけるμＣＯＭ１４内のＣＰＵの処理手順を示すフローチャートである。最初にμＣＯＭ１４は、サーボ信号処理部７を制御して、ＡＤＲ値に格納されたアドレス情報に光ピックアップ４を移動させる（ステップＳ５）。その後、μＣＯＭ１４内のＣＰＵは、サーボ信号処理部７を制御してトラッキングドライブ電圧、フォーカスドライブ電圧の出力を停止して、フォーカス調整処理、トラッキング調整処理を終了してサーボ系をオフした後（ステップＳ６）、処理を終了する。
【００４１】
上述したようにＡＤＲ値に格納されたアドレスに光ピックアップ４を移動させることにより、図７に示すように、例えば面ブレが大きく中立位置に保たれた対物レンズ４Ａと光ディスク１５との接触の可能性が高い外周側の位置Ｂに光ピックアップ４があるときは、接触の可能性が低い位置のうち最新の位置Ａに移動された後、フォーカス調整処理、トラッキング調整処理が終了されて、対物レンズ４Ａは中立位置に保たれる。また、光ディスク１５の再生は内周から外周に向かって行われるため、ＡＤＲ値には光ピックアップ４の現在の再生位置か現在の再生位置よりも内周側のアドレスが記憶される。よって、フォーカス調整処理を停止させる直前に光ピックアップ４の径方向の位置を内周側に向けて移動させることができる。
【００４２】
上述した光ディスク再生装置１によれば、光ピックアップ４が、レーザダイオード及びレーザダイオードからの光を光ディスク１５に焦点を合わせて照射するための対物レンズ４Ａを設けて光ディスク１５の情報を再生し、光ピックアップ４内のフォーカシングアクチュエータが、対物レンズ４Ａを光ディスク１５に接離する方向に移動させ、光ピックアップ４内のトラッキングアクチュエータが、光ピックアップ４を光ディスク１５の径方向に移動させ、サーボ信号処理部７が、光ディスク１５からの反射光によって光ディスク１５と対物レンズ４Ａとの間が一定距離になるようにフォーカシングアクチュエータを制御する。そして、μＣＯＭ１４が、サーボ信号処理部７によるフォーカス調整処理を停止させる直前にトラッキングアクチュエータを制御して光ピックアップ４の径方向の位置を内周側に向けて移動させた後、サーボ信号処理部７によるフォーカス調整処理を停止させる。
【００４３】
これにより、光ピックアップ４を光ディスク１５の外乱による面ブレが少なく、接触の可能性の低い内周側に向けて移動させることができるため、光ピックアップ４を光ディスク１５の再生位置に配置したまま光ディスク１５と対物レンズ４Ａとの衝突を防ぐことができる。
【００４４】
また、光ディスク再生装置１によれば、μＣＯＭ１４が、光ピックアップ４による情報の再生中にフォーカスドライブ電圧に基づいて対物レンズ４Ａの接離方向の位置を検出し、フォーカスドライブ電圧及び設定電圧との比較によって対物レンズの接離方向の位置が中立位置よりも光ディスク１５から離れた側に設定された所定位置に対して光ディスク１５側であるか否かを判断し、所定位置に対して光ディスク１５側であれば当該接離方向の位置検出が行われたときの光ピックアップ４の再生位置を接触の可能性が低い位置として検出する。そして、μＣＯＭ１４が、上記検出された接触の可能性が低い位置に光ピックアップ４を移動させるようにサーボ信号処理部７を介してトラッキングアクチュエータを制御した後、フォーカス調整処理を停止させている。
【００４５】
このように、情報の再生中に検出した対物レンズ４Ａの接離方向に位置に基づいて接触の可能性が低い位置を検出し、検出した接触の可能性が低い位置に光ピックアップ４を移動させることにより、より確実に光ディスク１５と対物レンズ４Ａとの衝突を防ぐことができる。
【００４６】
また、光ディスク再生装置１によれば、μＣＯＭ１４が、検出した接触の可能性が低い位置のうち最新の位置を検出し、光ピックアップ４による情報の再生中に検出された接触の可能性が低い位置のうち最新の位置に光ピックアップ４を移動させるようにサーボ制御信号処理部７を制御した後、フォーカシング調整処理を停止させている。
【００４７】
このように、最新に検出した接触の可能性の低い位置に光ピックアップ４を移動させることにより、フォーカス調整処理の停止直前の光ピックアップ４の位置からの移動距離を少なくすることができ、再生再開時に迅速にフォーカス調整処理の停止直前の光ピックアップ４の位置に戻ることができる。
【００４８】
また、光ディスク再生装置１によれば、μＣＯＭ１４が、フォーカスドライブ電圧を読み取る毎に設定電圧と比較して対物レンズの接離方向の位置が所定位置に対して光ディスク側であるか否かを判断し、所定位置に対して光ディスク側であると判断される毎に当該フォーカスドライブ電圧の読み取りが行われたときの光ピックアップ４の再生位置におけるアドレスにＡＤＲを更新している。これにより、簡単に最新の接触の可能性が低い位置を検出することができる。
【００４９】
なお、上述した実施形態によれば、所定位置は図３（Ｃ）に示すように中立位置まで面ブレした光ディスク１５に追従した対物レンズ４Ａの位置に設定していたが、本発明はこれに限ったものではない。より確実に光ディスク１５と対物レンズ４Ａとの接触を防止するために、所定位置をより中立位置の近くに設定しても良い。
【００５０】
また、上述した実施形態によれば、再生中のフォーカスドライブ電圧から接触の可能性が低い位置を検出していたが、本発明はこれに限ったものではない。例えば、光ピックアップ４の再生位置において接触の可能性の低い位置を確保できる設計を行えば、接触の可能性が低い位置を予め定めておいても良い。この場合、ソース切替時もしくは電源オフ時に、光ピックアップ４の再生位置が予め定めた接触の可能性が低い位置よりも外周側にあるときに光ピックアップ４を予め定めた接触の可能性が低い位置に移動させれば、内周側に移動させることができ、簡単にかつ確実に光ディスク１５と対物レンズ４Ａとの衝突を防ぐことができる。
【００５１】
また、上述した実施形態によれば、検出した又は予め定めた接触の可能性が低い位置に光ピックアップ４を移動させていたが、本発明はこれに限ったものではない。確実に接触を防ぐには上述したように接触の可能性が低い位置に光ピックアップ４を移動させるのが最適であるが、単に再生位置よりも所定距離だけ内周側に移動させるようにしても接触の可能性を低減することができる。
【００５２】
また、上述した実施形態によれば、検出した接触の可能性が低い位置のうち最新の位置に光ピックアップを移動させていたが、本発明はこれに限ったものではない。例えば、接触の可能性が低い位置であれば、最新の位置でなくてもよい。
【００５３】
また、上述した実施形態によれば、光ディスク１５を内周側に向けて移動した後にフォーカス調整処理を終了していたが、本発明はこれに限ったものではない。例えば、フォーカス調整処理を終了する直後に光ディスク１５を内周側に向けて移動してもよい。
【００５４】
また、上述した実施形態によれば、位置検出処理、サーボオフ制御処理をμＣＯＭ１４が行っていたが、本発明はこれに限ったものではなく、例えば、サーボ信号処理部７が行っても良い。
【００５５】
また、前述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００５６】
【図１】本発明の光ディスク再生装置の一実施の形態を示す概要構成図である。
【図２】図１に示す光ディスク再生装置の電気構成図である。
【図３】対物レンズと光ディスクとの位置関係を説明するための図である。
【図４】対物レンズの位置とフォーカスドライブ電圧との関係を説明するための図である。
【図５】位置検出処理におけるμＣＯＭ内のＣＰＵの処理手順を示すフローチャートである。
【図６】サーボオフ制御処理におけるμＣＯＭ内のＣＰＵの処理手順を示すフローチャートである。
【図７】図１に示す光ディスク再生装置の動作を説明するための図である。
【符号の説明】
【００５７】
４    光ピックアップ
７    サーボ信号処理部（第１駆動制御手段）
１１  光ディスク
１４  マイクロコンピュータ（第１位置検出手段、第２位置検出手段、第２駆動制御手段）
【図１】
2008243330.tif 000003
【図２】
2008243330.tif 000004
【図３】
2008243330.tif 000005
【図４】
2008243330.tif 000006
【図５】
2008243330.tif 000007
【図６】
2008243330.tif 000008
【図７】
2008243330.tif 000009